(57)【要約】      （修正有）【課題】挿通口を小さくしなくとも、消火用ホースが当たり易くできるホースガイドを備えた消火栓装置を提供する。【解決手段】筐体内部のホース収納部に消火用ホース４が内巻きに収納され、前記ホース収納部の開口部から前記消火用ホース４が引き出されるよう構成された消火栓装置において、前記ホース収納部の前方に位置して、前記消火用ホース４が挿通される挿通口７ａを有するホースガイド７であって、前記消火用ホース４の挿通方向Ａ１に対する前記挿通口７ａの投影面積が可変であるホースガイド７を設けたことを特徴とする。【選択図】図３
2011212264.tif 000002
【特許請求の範囲】
【請求項１】
筐体内部のホース収納部に消火用ホースが内巻きに収納され、前記ホース収納部の開口部から前記消火用ホースが引き出されるように構成された消火栓装置において、
前記ホース収納部の前方に位置して、前記消火用ホースが挿通される挿通口を有するホースガイドであって、前記消火用ホースの挿通方向に対する前記挿通口の投影面積が可変であるホースガイドを設けたことを特徴とする消火栓装置。
【請求項２】
前記挿通口は挿通枠によって画定され、その挿通枠が前後方向に回動可能であることを特徴とする請求項１に記載の消火栓装置。
【請求項３】
前記挿通枠は、前記挿通口を通じて引き出される前記消火用ホースが前記挿通枠に当たることで生じる摩擦力により、前記消火用ホースを挟むようになるまで回動可能であることを特徴とする請求項２に記載の消火栓装置。
【請求項４】
前記ホースガイドは、前記挿通枠に作用する力に応じて、前記挿通枠の回動可能な範囲を調節する回動範囲調節手段を有することを特徴とする請求項１又は２に記載の消火栓装置。
【請求項５】
前記回動範囲調節手段は、弾性体の弾力を利用して、前記挿通枠の回動可能な範囲を調節することを特徴とする請求項４に記載の消火栓装置。
【請求項６】
前記ホースガイドは、前記挿通枠の回動を禁止する回動禁止手段を有することを特徴とする請求項１乃至５の何れかに記載の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００３−３８６７５号公報（特許文献１）に記載の消火栓装置のように、消火用ホースが挿通されるホースガイドを備え、そのホースガイドに消火用ホースを接触させて、消火用ホースに摩擦抵抗を与え、ホース収納部から出てくる消火用ホースの勢いを抑えて、消火用ホースが必要以上に出てこないようにしたものがある。
【先行技術文献】
【特許文献】
【０００７】
【特許文献１】特開２００３−３８６７５号公報
【発明の概要】
【発明が解決しようとする課題】
【０００８】
前記のようなホースガイドを備えた消火栓装置において、消火用ホースの勢いを確実に抑えることができるようにするために、消火用ホースが挿通されるホースガイドの挿通口を小さくして、消火用ホースが当たり易くすることが考えられる。
【０００９】
しかしながら、ホースガイドの挿通口を小さくして、消火用ホースが当たり易くすると、消火用ホースをホース収納部に収納する際には、それが負荷となって、消火用ホースを戻し難くしてしまう。
【００１０】
この発明は、前記の事情に鑑み、挿通口を小さくしなくとも、消火用ホースが当たり易くできるホースガイドを備えた消火栓装置を提供することを目的とする。
【課題を解決するための手段】
【００１１】
この発明は、筐体内部のホース収納部に消火用ホースが内巻きに収納され、前記ホース収納部の開口部から前記消火用ホースが引き出されるように構成された消火栓装置において、前記ホース収納部の前方に位置して、前記消火用ホースが挿通される挿通口を有するホースガイドであって、前記消火用ホースの挿通方向に対する前記挿通口の投影面積が可変であるホースガイドを設けたことを特徴とする消火栓装置である。
【００１２】
また、この発明は、前記挿通口は挿通枠によって画定され、その挿通枠が前後方向に回動可能であることを特徴とする消火栓装置である。
【００１３】
なお、この発明において、前記挿通枠は、前記消火用ホースの挿通方向に直交する水平方向軸回りに回動可能とすることができる。
【００１４】
また、この発明は、前記挿通枠は、前記挿通口を通じて引き出される前記消火用ホースが前記挿通枠に当たることで生じる摩擦力により、前記消火用ホースを挟むようになるまで回動可能であることを特徴とする消火栓装置である。
【００１５】
また、この発明は、前記ホースガイドは、前記挿通枠に作用する力に応じて、前記挿通枠の回動可能な範囲を調節する回動範囲調節手段を有することを特徴とする消火栓装置である。
【００１６】
また、この発明は、前記回動範囲調節手段は、弾性体の弾力を利用して、前記挿通枠の回動可能な範囲を調節することを特徴とする消火栓装置である。
【００１７】
また、この発明は、前記ホースガイドは、前記挿通枠の回動を禁止する回動禁止手段をさらに有することを特徴とする消火栓装置である。
【発明の効果】
【００１８】
この発明によれば、消火用ホースの挿通方向に対するホースガイドの挿通口の投影面積を可変としたことで、例えば、挿通口を画定する挿通枠を前後方向に回動可能として、その投影面積を可変としたことで、その投影面積を小さくして、挿通口における消火用ホースが挿通可能な面積を小さくすることができ、それにより、挿通口自体の開口面積は小さくすることなく、その挿通口を画定しているホースガイドの挿通枠に消火用ホースが当たり易くすることができ、例えば、挿通口を画定する挿通枠を前後方向に回動可能とした場合は、挿通枠の内面の上下が前後にずれつつ、挿通口に挿通される消火用ホースに近づいて、消火用ホースが当たり易い状態にすることができる。
【００１９】
即ち、この発明によれば、挿通口を小さくしなくとも、消火用ホースが当たり易くできるホースガイドを備えた消火栓装置を提供することができる。
【００２０】
また、この発明によれば、ホースガイドがその挿通枠に作用する力に応じて、挿通枠の回動可能な範囲を調節する回動範囲調節手段を有するものとすれば、例えば、消火用ホースが出てくる勢いが強く、挿通枠に作用する力が大きいときには、挿通枠を回動させて、消火用ホースが挿通枠に当たり易くして、その勢いを確実に抑え、消火用ホースが出てくる勢いが弱く、挿通枠に作用する力が大きくないときには、挿通枠を回動させないで（回動させたとしても、その量を少なくして）、消火用ホースが挿通枠に当たり過ぎないようにして、その勢いを抑え過ぎないようにすることができる。
【００２１】
また、この発明によれば、ホースガイドがその挿通枠の回動を禁止する回動禁止手段を有するものとすれば、例えば、消火用ホースをホース収納部に収納する際には、その回動禁止手段により挿通枠を回動させず、挿通口における消火用ホースが挿通可能な面積を小さくしないで、消火用ホースが挿通口内を通り易くし、消火用ホースの収納を容易に行えるようにすることができる。
【図面の簡単な説明】
【００２２】
【図１】この発明の消火栓装置の実施形態を示し、前傾扉を開いた状態における全体の斜視図である。
【図２】同上の消火栓装置のホースガイドの正面図である。
【図３】同上のホースガイドに消火用ホースが挿通された状態を示したものであって、（ａ）及び（ｂ）何れも図２のＡ−Ａ線断面図であり、（ａ）が挿通枠が回動していない状態を示し、（ｂ）が挿通枠が前後方向に回動している状態を示した図である。
【図４】同上のホースガイドに回動範囲調節手段が設けられている場合の図３（ｂ）に相当する図である。
【図５】同上のホースガイドに他の態様の回動範囲調節手段が設けられている場合の要部拡大図である。
【図６】同上のホースガイドに回動禁止手段が設けられている場合の要部拡大図である。
【図７】同上のホースガイドに他の態様の回動禁止手段が設けられている場合の要部拡大図である。
【発明を実施するための形態】
【００２３】
この発明の実施の形態を図１乃至図７に基づき説明する。
【００２４】
消火栓装置１は、例えば道路のトンネル等に設置されるものである。また、この消火栓装置１は、先端にノズル４ａを有する消火用ホース４が内巻きに収納される所謂内巻き式のものである。
【００２５】
図１に示すように、消火栓装置１は、筐体２内に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の内側３ａには消火栓弁の操作レバー６が設けられており、操作レバー６を開操作すれば、消火栓弁が開き、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００２６】
ホース収納部５は前部に開口部５ａを有しており、開口部５ａから消火用ホース４を外部に引き出したり、内部に収納したりすることができるようになっている。
【００２７】
消火栓装置１には、消火用ホース４が挿通される挿通枠口７ａを有するホースガイド７が前傾扉３の内側３ａに設けられている。ホースガイド７は、挿通口７ａを囲む挿通枠７ｂと、挿通枠７ｂの軸部７ｉを軸支する略Ｙ字状の軸支部７ｃと支柱部７ｇを有し、前傾扉３の内側３ａに取り付けられる。
【００２８】
消火栓装置１は、ホースガイド７が消火用ホース４が挿通される挿通口７ａを有していることで、消火用ホース４の引き出し時に、消火用ホース４が挿通口７ａを画定している挿通枠７ｂに接触し、摩擦抵抗が与えられることで、消火用ホース４が必要以上に出てしまうのを防ぐことができるようになっている。
【００２９】
なお、本実施の形態において、ホースガイド７は、前傾扉３の内側３ａにホース収納部５の下部と略同じ高さで設けられているが、ホース収納部５の前方の位置であれば、他の場所に設けられていてもよく、例えば、図示は省略するが、ホース収納部５の前面、具体的にはその開口部５ａの前面に設けられていてもよい。また、ホースガイド７を画定している挿通枠７ｂは円環状のものとしているが、その形状は円環状に限らず、種々の枠状のものとすることができ、例えば、矩形の環状のものとすることができ、さらに、その挿通枠７ｂは環状に限らず、部分的に開口のあるものとすることもできる。
【００３０】
そして、ホースガイド７は、消火用ホース４の挿通方向に対する挿通口７ａの投影面積を変化させることができるようになっており、その投影面積を小さくして、挿通口７ａにおける消火用ホース４が挿通可能な面積を小さくすることができ、挿通口７ａ自体の開口面積は小さく変えないものの、挿通枠７ｂに消火用ホース４を当たり易くできるようになっている。
【００３１】
具体的には、ホースガイド７は、図２に示すように、挿通口７ａを画定する挿通枠７ｂを消火用ホースの挿通方向Ａ１（図３に示す）に直交する水平方向の軸Ｘ回りに回動可能にする軸部７ｉを軸支する軸支部７ｃを有している。そして、挿通枠７ｂは、軸部７ｉを軸として、その下部７ｅおよび上部７ｆが軸支部７ｃに対して、前後方向に移動する方向Ａ２に回動可能であり、図３（ａ）に示すように、消火水が供給された消火用ホース４が引き出し方向（前方）Ａ３に引き出される際、消火用ホース４は、挿通枠７ｂの内面７ｄに当たりながら方向Ａ３に移動していく。このとき消火用ホース４が、特に消火用ホース４と消火水の重量により挿通枠７ｂの内面７ｄ付近の下部７ｅに当たることから、図３（ａ）の回動していない状態から、挿通枠７ｂには下部７ｅ側を前方に移動させ、上部７ｆ側を後方に移動させる方向Ａ４の力が働き、その方向に回動する。それにより、挿通口７ａ自体の開口面積は変えないものの、上部７ｆと下部７ｅが前後にずれながら、消火用ホース４に近づき、消火用ホース４の挿通口７ａへの挿通方向Ａ１に対する挿通口７ａの投影面積が図３（ａ）の挿通枠７ｂが回動していない最大の投影面積Ｓ１から方向Ａ４の力の大きさに対して小さくなるため、挿通枠７ｂに消火用ホース４が当たり易い状態になる。ここで挿通枠７ｂは、最大で、図３（ｂ）に示すように、上部７ｆと下部７ｅが消火用ホース４に接触して、上下から挟む状態になるまで回動可能になっており、消火用ホース４の挿通口７ａへの挿通方向Ａ１に対する挿通口７ａの投影面積が最小の投影面積Ｓ２まで小さくなるようになっている。
【００３２】
なお、本実施の形態において、ホースガイド７は、図２に示すように、垂直軸回りにＡ５方向にも回動可能にもなっている。例えば、消火用ホース４が大きく左右方向に引き出される際には、それに追従して左右方向に回動することによって、消火用ホース４が、左右方向に引き出される（飛び出る）力により、挿通枠７ｂの内面７ｄに沿って、下部７ｅ付近から上部７ｆに向かって上がるのを防ぎ、消火用ホース４を下部７ｅ付近にとどまらせるようになっている。これにより、消火用ホース４が、どのような方向に引き出されるときにも、挿通枠７ｂが軸Ｘを軸として方向Ａ２に回動する力を与えやすい下部７ｅ付近に消火用ホース４が位置するため、良好に消火用ホース４が当たりやすい状態にできる。
【００３３】
この発明の実施の形態を図１乃至３に基づき説明したが、この発明において、ホースガイド７は、消火用ホース４が挿通枠７ｂに当たることで挿通枠７ｂに作用する力に応じて、挿通枠７ｂの回動可能な範囲を調節する回動範囲調節手段を有するものとしてもよい。そのような調節手段を有するものとすれば、例えば、消火用ホース４が出てくる勢いが強く、挿通枠７ｂに作用する力が大きいときには、挿通枠７ｂを回動させて、消火用ホース４が挿通枠７ｂに当たり易くして、その勢いを確実に抑え、消火用ホース４が出てくる勢いが弱く、挿通枠７ｂに作用する力が大きくないときには、挿通枠７ｂを回動させないで（回動させたとしても、その量を少なくして）、消火用ホース４が挿通枠７ｂに当たり過ぎないようにして、その勢いを抑え過ぎないようにして、消火用ホース４を引き出し易くすることができる。
【００３４】
具体的には、例えば、図４に示すように、ホースガイド７の軸支部７ｃと一体の支柱部７ｇと挿通枠７ｂとの間をゴムやバネ等の弾性体７ｈで繋いだり、図５に示すように、ホースガイド７の軸支部７ｃの軸部７ｉの周りにゴムやねじりバネ等の弾性体７ｊを巻き付けたり、軸部７ｉの一部をゴムやねじりバネ等の弾性体７ｊで構成して、それら弾性体７ｉ，７ｊを調節手段として、それらの弾力（復元力）を利用し、消火用ホース４が挿通枠７ｂに当たることで挿通枠７ｂに作用する力に応じて、挿通枠７ｂの回動可能な範囲を調節するようにすることができる。
【００３５】
また、ホースガイド７は、挿通枠７ｂの回動を禁止する回動禁止手段を有するものとしてもよい。そのような禁止手段を有するものとすれば、挿通枠７ｂの回動の許容と禁止を適宜選択することができ、例えば、消火用ホース４をホース収納部５に収納する際には、その回動禁止手段により挿通枠７ｂを回動させず、挿通口７ａにおける消火用ホースが挿通可能な面積を小さくしないで、消火用ホース４が挿通口内を通り易くして、消火用ホース４の収納を容易に行えるようにすることができる。
【００３６】
具体的には、例えば、図６に示すように、ホースガイド７の支柱部７ｇに挿通枠７ｂの回動軌跡中にＡ６方向に回動して進退可能な係止片７ｋを設けたり、図７に示すように、ホースガイド７の支柱部７ｇに上下方向に進退可能な係止棒７ｍを設け、係止棒７ｍを挿通枠７ｂの溝に挿入したりして、挿通枠７ｂの回動の許容と禁止を適宜選択してできるようにすることができる。
【００３７】
また、ホースガイド７の回動する軸Ｘの方向も水平方向以外に適宜選択でき、その軸Ｘ回りに回動可能とする軸部７ｉの軸支の方法もホースガイド７を設ける位置に適した方法とすることができる。
【００３８】
また、挿通枠７ｂを消火用ホース引き出し時に前後方向に回動可能なものを例として挙げ説明したが、設置現場に合わせて、予め投影面積が所定の面積となるように、挿通枠７ｂを回動（傾斜）させ固定しても良い。
【符号の説明】
【００３９】
１：消火栓装置        ２：筐体              ２ａ：開口
２ｂ：前面            ３：前傾扉            ３ａ：内側
４：消火用ホース      ４ａ：ノズル          ５：ホース収納部
５ａ：開口部          ６：操作レバー        ７：ホースガイド
７ａ：挿通口          ７ｂ：挿通枠          ７ｃ：軸支部
７ｄ：内側            ７ｅ：下部            ７ｆ：上部
７ｇ：支柱部          ７ｈ：弾性体          ７ｉ：軸部
７ｊ：弾性体          ７ｋ：係止片          ７ｍ：係止棒
【図１】
2011212264.tif 000003
【図２】
2011212264.tif 000004
【図３】
2011212264.tif 000005
【図４】
2011212264.tif 000006
【図５】
2011212264.tif 000007
【図６】
2011212264.tif 000008
【図７】
2011212264.tif 000009